(57)【特許請求の範囲】
【請求項１】
円筒状の版胴の外周に装着される印刷用版の成形方法であって、
版部となる樹脂層が片面に形成された長方形状の弾性材料製シートに位置決め用切欠部を形成する切欠部加工工程と、
前記位置決め用切欠部が形成された前記弾性材料製シートを、前記版胴と同一形状のシリンダー部材の位置決め用突部に前記位置決め用切欠部を係合させて巻き付けて丸め、前記弾性材料製シートの両端部を重ね合わせて円筒状に接合する円筒材成形工程と、
円筒状に成形された前記弾性材料製シートを版胴に装着して前記版部に印刷用模様を彫刻する版部彫刻工程と、
を備えることを特徴とする印刷用版の成形方法。
【請求項２】
前記位置決め用切欠部は、前記弾性材料製シートの両端部を重ねて接合した接合部以外に設けられることを特徴とする請求項１に記載の印刷用版の成形方法。
【請求項３】
前記円筒材成形工程は、
所定の加工度となるまで前記弾性材料製シートを丸めて塑性変形させる第１加工と、
前記弾性材料製シートを更に丸めて、前記弾性材料製シートの両端部を重ね合わせて円筒状にする第２加工と、
を有することを特徴とする請求項１または２に記載の印刷用版の成形方法。
【請求項４】
前記第１加工では、接合後の前記弾性材料製シートの径の約１．２倍以上約３倍以下となるまで前記弾性材料製シートを塑性変形させることを特徴とする請求項３に記載の印刷用版の成形方法。
【請求項５】
前記第１加工は、前記弾性材料製シートの一端部側と他端部側とで加工度を異なる設定にすることを特徴とする請求項３または４に記載の印刷用版の成形方法。
【請求項６】
円筒状に成形された前記弾性材料製シートの両端部を重ねて接合した接合部の両側部に、前記版胴の外周の一部が取り除かれてなる平坦部の幅寸法と略同等の間隔で屈曲部が設けられ、
前記印刷用版及び前記版胴は、前記屈曲部と前記平坦部によって位置決めされることを特徴とする請求項１〜５のいずれかに記載の印刷用版の成形方法。
【請求項７】
前記位置決め用切欠部は、前記接合部を含む前記屈曲部間以外の部位に設けられることを特徴とする請求項６に記載の印刷用版の成形方法。
【請求項８】
長方形状の弾性材料製シートに形成された位置決め用切欠部が係合する位置決め用突部と、円筒状に形成された外周の一部が取り除かれてなる平坦部と、を有するシリンダー部材と、
前記弾性材料製シートの前記位置決め用切欠部と前記位置決め用突部を係合させた状態で、前記弾性材料製シートの前記位置決め用切欠部の近傍を押え付けて前記シリンダー部材の外周に固定する固定手段と、
前記シリンダー部材の軸方向左右に設けられたローラーによって、前記弾性材料製シートを円筒状に加工するローラー手段と、
前記弾性材料製シートの両端部を前記平坦部の位置で重ね合わせて押圧する押圧手段と、
前記押圧手段によって前記弾性材料製シートが押圧された状態で、前記弾性材料製シートの前記両端部を接合する接合手段と、
を備えることを特徴とする印刷用版の円筒状成形装置。
【発明の詳細な説明】
【技術分野】
【０００１】
本発明は、金属製、特にアルミニウム製またはアルミニウム合金製の缶体の印刷に用いられる印刷用版の成形方法に関する。
【背景技術】
【０００２】
従来、印刷装置の版胴に装着されて使用され、画像パターンを有する印刷用版を用いて、金属製の缶体に印刷することが知られている。
【０００３】
特許文献１には、外周に溝が設けられたシリンダー部材を備え、板状の基材の端部に曲げ加工を施し、厚み方向に向かって突出した折曲部が形成され、当該折曲部がシリンダー部材の溝に係合した状態でシリンダー部材を回転させて基材を巻き取ることによって、基材を円筒状の印刷用版に成形する筒状体製造装置が開示されている。
【先行技術文献】
【特許文献】
【０００４】
【特許文献１】特開２０１３−１５９０６６号公報
【発明の概要】
【発明が解決しようとする課題】
【０００５】
しかしながら、特許文献１のような装置では、端部に折曲部が形成されていない基材をシリンダー部材に巻き付けて、成形加工時における版部の配置ズレなどによる個体差が生じない高精度な円筒状の印刷用版に成形することは困難であった。
【課題を解決するための手段】
【０００６】
本発明は、上述した技術背景に鑑み、金属製、特にアルミニウム製またはアルミニウム合金製の缶体の印刷に用いられる、高精度に成形される円筒状の印刷用版の成形方法の提供を目的とする。
【０００７】
即ち、本発明は下記［１］〜［８］に記載の構成を有する。
【０００８】
［１］  円筒状の版胴の外周に装着される印刷用版の成形方法であって、
版部となる樹脂層が片面に形成された長方形状の弾性材料製シートに位置決め用切欠部を形成する切欠部加工工程と、
前記位置決め用切欠部が形成された前記弾性材料製シートを丸め、前記弾性材料製シートの両端部を重ね合わせて円筒状に接合する円筒材成形工程と、
円筒状に成形された前記弾性材料製シートの前記版部に印刷用模様を彫刻する版部彫刻工程と、
を備えることを特徴とする印刷用版の成形方法。
【０００９】
［２］  前記位置決め用切欠部は、前記弾性材料製シートの両端部を重ねて接合した接合部以外に設けられることを特徴とする前項１に記載の印刷用版の成形方法。
【００１０】
［３］  前記円筒材成形工程は、
所定の加工度となるまで前記弾性材料製シートを丸めて塑性変形させる第１加工と、
前記弾性材料製シートを更に丸めて、前記弾性材料製シートの両端部を重ね合わせて円筒状にする第２加工と、
を有することを特徴とする前項１または２に記載の印刷用版の成形方法。
【００１１】
［４］  前記第１加工では、円筒状に成形後の前記弾性材料製シートの径が、前記第１加工で成形した前記弾性材料製シートの径の約１．２倍以上約３倍以下となるまで前記弾性材料製シートを塑性変形させることを特徴とする前項３に記載の印刷用版の成形方法。
【００１２】
［５］  前記第１加工は、前記弾性材料製シートの一端部側と他端部側とで加工度を異なる設定にすることを特徴とする前項３または４に記載の印刷用版の成形方法。
【００１３】
［６］  円筒状に成形された前記弾性材料製シートの両端部を重ねて接合した接合部の両側部に、前記版胴の外周の一部が取り除かれてなる平坦部の幅寸法と略同等の間隔で屈曲部が設けられ、
前記印刷用版及び前記版胴は、前記屈曲部と前記平坦部によって位置決めされることを特徴とする前項１〜５のいずれかに記載の印刷用版の成形方法。
【００１４】
［７］  前記位置決め用切欠部は、前記接合部を含む前記屈曲部間以外の部位に設けられることを特徴とする前項６に記載の印刷用版の成形方法。
【００１５】
［８］  長方形状の弾性材料製シートに形成された位置決め用切欠部が係合する位置決め用突部と、円筒状に形成された外周の一部が取り除かれてなる平坦部と、を有するシリンダー部材と、
前記弾性材料製シートの前記位置決め用切欠部と前記位置決め用突部を係合させた状態で、前記弾性材料製シートの前記位置決め用切欠部の近傍を押え付けて前記シリンダー部材の外周に固定する固定手段と、
前記シリンダー部材の軸方向左右に設けられたローラーによって、前記弾性材料製シートを円筒状に加工するローラー手段と、
前記弾性材料製シートの両端部を前記平坦部の位置で重ね合わせて押圧する押圧手段と、
前記押圧手段によって前記弾性材料製シートが押圧された状態で、前記弾性材料製シートの前記両端部を接合する接合手段と、
を備えることを特徴とする印刷用版の円筒状成形装置。
【発明の効果】
【００１６】
上記［１］に記載の発明によれば、円筒状の版胴の外周に装着される印刷用版の成形方法であって、版部となる樹脂層が片面に形成された長方形状の弾性材料製シートに位置決め用切欠部を形成する切欠部加工工程と、位置決め用切欠部が形成された弾性材料製シートを丸め、弾性材料製シートの両端部を重ね合わせて円筒状に接合する円筒材成形工程と、円筒状に成形された弾性材料製シートの版部に印刷用模様を彫刻する版部彫刻工程と、を備えるので、弾性材料製シートに予め位置決め用切欠部を形成しておくことにより、シリンダー部材などに巻き付けて印刷用版を成形する際にも、弾性材料製シートをシリンダー部材などに対して周方向に位置決めさせることができるため、形状精度に優れ、容易に円筒形状の印刷用版に加工することができ、印刷精度の向上した印刷用版を得られる。
【００１７】
また、円筒状に成形された印刷用版に位置決め用切欠部を形成する場合よりも容易に位置決め用切欠部を形成することができる。
【００１８】
上記［２］に記載の発明によれば、位置決め用切欠部は、弾性材料製シートの両端部を重ねて接合した接合部以外に設けられるので、先に形成された位置決め用切欠部が接合部の接合の邪魔になることがない。
【００１９】
上記［３］に記載の発明によれば、円筒材成形工程は、所定の加工度となるまで弾性材料製シートを丸めて塑性変形させる第１加工と、弾性材料製シートを更に丸めて、弾性材料製シートの両端部を重ね合わせて円筒状にする第２加工と、を有するので、第１加工によって、弾性材料製シートが丸みを帯びるように予め塑性変形がなされてから第２加工が施されることにより、弾性材料製シートが元に戻ろうとする反発力が低下する。
【００２０】
これにより、弾性材料製シートの重ね合わせた両端部は、例えば、溶接などの接合のみでよく、接着剤と溶接を併用して接合するなど強力な接合力が必要なくなり接合作業が簡素になる。
【００２１】
第１加工及び第２加工によって弾性材料製シートを段階的に円筒状に成形することにより、精度よく印刷用版を円筒状に成形することができる。
【００２２】
上記［４］に記載の発明によれば、第１加工では、円筒状に成形後の弾性材料製シートの径が、第１加工で成形した弾性材料製シートの径の約１．２倍以上約３倍以下となるまで弾性材料製シートを塑性変形させるので、第１加工において印刷用版が好適な範囲内で加工されるため、その後に施される第２加工が行い易くなる。
【００２３】
上記［５］に記載の発明によれば、第１加工は、弾性材料製シートの一端部側と他端部側とで加工度を異なる設定にするので、加工度の大きい端部が加工度の小さい端部の内側に入りこんで重なり合うような形状となるため、その後の接合工程が行い易くなる。
【００２４】
上記［６］に記載の発明によれば、円筒状に成形された弾性材料製シートの両端部を重ねて接合した接合部の両側部に、版胴の外周の一部が取り除かれてなる平坦部の幅寸法と略同等の間隔で屈曲部が設けられ、印刷用版及び版胴は、屈曲部と平坦部によって位置決めされるので、印刷用版の接合部は弾性材料製シートの両端部が重なり合っているために曲がり難く、その他の部位よりも低い曲率となることにより屈曲部が形成されるため、印刷用版を版胴の外周に装着させる際に、印刷用版の屈曲部と版胴の平坦部とを位置合わせして案内させ易くなり、印刷用版の装着がより正確且つ容易になる。
【００２５】
上記［７］に記載の発明によれば、位置決め用切欠部は、接合部を含む屈曲部間以外の部位に設けられるので、位置決め用切欠部が版胴の曲率と略等しく設定された部位に設けられることにより、印刷用版を版胴に装着させる際に、位置決め用切欠部と係合する版胴の部位に係合させやすい。
【００２６】
上記［８］に記載の発明によれば、長方形状の弾性材料製シートに形成された位置決め用切欠部が係合する位置決め用突部と、円筒状に形成された外周の一部が取り除かれてなる平坦部と、を有するシリンダー部材と、弾性材料製シートの位置決め用切欠部と位置決め用突部を係合させた状態で、弾性材料製シートの位置決め用切欠部の近傍を押え付けてシリンダー部材の外周に固定する固定手段と、シリンダー部材の軸方向左右に設けられたローラーによって、弾性材料製シートを円筒状に加工するローラー手段と、弾性材料製シートの両端部を平坦部の位置で重ね合わせて押圧する押圧手段と、押圧手段によって弾性材料製シートが押圧された状態で、弾性材料製シートの両端部を接合する接合手段と、を備えるので、位置決め用切欠部により弾性材料製シートをシリンダー部材に対して周方向に位置決めさせ、更に固定手段により弾性材料製シートを固定させることができるため、ローラー手段、押圧手段及び接合手段による加工作業中にも弾性材料製シートが周方向にずれるなどすることがなく、形状精度に優れ、容易に円筒形状に加工することができる。
【００２７】
また、弾性材料製シートを円筒状に成形した後、円筒状成形装置のシリンダー部材と同一形状の版胴を用いて印刷模様を彫刻して、同一形状の版胴を用いて印刷が行われるので、画像位置決め精度が高く、見当合わせが不要になり、印刷精度の向上した印刷用版を成形することができる。
【図面の簡単な説明】
【００２８】
【図１】本発明の印刷用版について説明するための説明図である。
【図２】本発明の印刷用版の版胴への装着を説明するための説明図である。
【図３】本発明の印刷用版を円筒状に成形する円筒状成形装置の正面図である。
【図４】本発明の印刷用版を円筒状に成形する円筒状成形装置の側面図である。
【図５】本発明の印刷用版を円筒状に成形する円筒状成形装置の平面図である。
【図６】本発明の印刷用版の成形方法について説明するための説明図である。
【図７】本発明の印刷用版の湾曲部を説明するための拡大図である。
【発明を実施するための形態】
【００２９】
以下、図面を参照して、本発明の実施形態について説明する。
【００３０】
図１は、印刷用版１について説明するための説明図、図２は、印刷用版１の版胴２への装着を説明するための説明図、図３は、印刷用版１を円筒状に成形する円筒状成形装置の正面図、図４は、印刷用版１を円筒状に成形する円筒状成形装置の側面図、図５は、印刷用版１を円筒状に成形する円筒状成形装置の平面図、図６は、印刷用版１の成形方法について説明するための説明図、図７は、印刷用版１の湾曲部１５を説明するための拡大図である。
【００３１】
以降では、図２に示す版胴２の上下を上下とし、左側を前面或いは先端、右側を後面或いは後端とし、前面から見て左右を左右として説明する。
【００３２】
まず、図１〜７を参照して、円筒状の印刷用版１が装着される版胴２を備える、金属製の缶体の印刷をするための版装着装置について説明する。
【００３３】
版装着装置は、印刷対象物に対して印刷を行う印刷機、印刷機に用いられる印刷用版１に対して印刷模様を彫刻する彫刻機に共通して備えられるものである。
【００３４】
版胴２に装着される印刷用版１としては、円筒状に形成された印刷用版１、特に、小径の印刷用版１が用いられる。
【００３５】
印刷される被印刷物は飲料用金属缶であり、特にアルミニウム又はアルミニウム合金製の平板を、ドロー＆アイアニング（ＤＩ）成形した有底円筒状の飲料用金属缶が好適に印刷される。
【００３６】
版装着装置は、印刷機の機枠から前方に突出するように設けられた図示しない版駆動軸と、版駆動軸の先端部側から嵌め込まれて、版駆動軸の外周面に固定される版胴２と、を備えている。
【００３７】
版駆動軸は、その基端部側が印刷機の機枠に回転支持され、公知の駆動手段により所定方向に所定速度で回転させられる。
【００３８】
版胴２は、円筒状に形成され、版駆動軸が挿通させられる挿通孔がその中心に設けられている。
【００３９】
版胴２の外周には、版駆動軸と同心の円筒状の版装着面２２が形成されており、版装着面２２には、円筒状に形成された印刷用版１、特に、小径の印刷用版１が着脱可能に取り付けられる。
【００４０】
版胴２は、重量軽減のために内部が取り除かれて空洞になっており、外周に版装着面２２が形成された円筒部と、版胴２の前面を覆う蓋部２４と、を備えている。
【００４１】
版胴２は、挿通孔に版駆動軸を嵌め合わせた状態で版駆動軸に固定され、版駆動軸と一体となって回転する。
【００４２】
版装着面２２は、装着された印刷用版１の内面との摩擦抵抗による固定力を確保するため、その表面粗さはＲａ１μｍ以下程度で静摩擦を保つことが望ましい。
【００４３】
また、その表面粗さを小さく保ち、かつ表面に傷が付きにくい点を考慮すると、版装着面２２は、ハードクロム塗装（メッキ）することが好ましい。
【００４４】
版胴２には、円筒部の一部が取り除かれて、平坦な面が形成されてなる版固定部材装着面が設けられており、円筒部の外周の版固定部材装着面を除く部分が印刷用版１の装着される版装着面２２となっている。
【００４５】
版固定部材装着面は、版装着面２２を含む円筒面よりも径方向内側に位置しており、版胴２の外周面において径方向内外へ移動可能に設けられ、印刷用版１を固定するための版固定部材を設けている。
【００４６】
版装着面２２の外径と、印刷用版１の内径は、略同等の寸法となるように設定されている。
【００４７】
版固定部材は、例えば、版胴２の軸方向に長い方形状に形成され、版胴２の径方向外側に移動させることによって版固定部材の径方向外側の端面が印刷用版１の内周面に当接するように構成されている。
【００４８】
版胴２が版固定部材装着面を有しているため、版装着面２２と版固定部材装着面を合計した周長は、版胴２の版装着面２２が形成する円筒面の周長より短くなる。
【００４９】
印刷用版１の内周面の周長は、版胴２の版装着面２２と版固定部材装着面を合計した周長よりも僅かに大きく、版胴２の版装着面２２が形成する円筒面の周長より僅かに小さい寸法に設定されている。
【００５０】
これにより、版胴２に対する印刷用版１の挿入を容易なものとするとともに、版固定部材に押された部位が印刷用版１の他の部位より径方向外側に突出する事態を回避することができるようになっている。
【００５１】
版固定部材装着面には、版胴２の軸方向長さの大部分にわたり、軸方向に長い方形状に形成された溝部が形成されている。
【００５２】
当該溝部は、横断面形状が方形状で、両側壁及び底壁は平坦面に形成されており、溝部には、版固定部材が版胴２の径方向に移動可能に嵌め込まれている。
【００５３】
版装着面２２の外径と、印刷用版１の内径は、略同等の寸法となるように設定されている。
【００５４】
版固定部材は、印刷用版１の版部１２を含む外表面が形成する円筒面の内側の範囲内で、版胴２に装着された印刷用版１の一部を径方向内側から径方向外側に押して拡径するようになっている。
【００５５】
版固定部材には、版胴２の軸方向に延びる回転軸が設けられ、版固定部材の内部において回転可能に構成された回転軸が回転操作されることによる回転に伴って、版胴２の内部で版胴２の径方向に位置移動可能に構成されている。
【００５６】
版胴２の円筒部の後端面の外周部には、印刷用版１の軸方向の装着位置を決めるためのエンドストッパー２３が固定されている。
【００５７】
エンドストッパー２３は、版装着面２２より径方向外側に少し張り出した円環状に形成され、印刷用版１を版胴２の先端側から嵌め込むと、印刷用版１の後端部側が円環状面に当接するように構成されている。
【００５８】
エンドストッパー２３が設けられることにより、印刷用版１の後端部を版胴２の所定位置に正確に且つ簡単に取付けられるようになる。
【００５９】
版胴２の下側且つエンドストッパー２３の手前側には、少なくとも印刷用版１の周方向の位置決めをするための位置決め用段部２１が設けられている。
【００６０】
位置決め用段部２１は、例えば、版胴２の径方向外側へ僅かに突出し、平面視で略半円形状の段部として形成されている。
【００６１】
印刷用版１には、弾性材料で円筒状に形成された版本体１１と、版本体１１の外周部の一部に形成された版部１２とが備えられている。
【００６２】
尚、版部１２とは、印刷模様が彫刻された後及び印刷模様が彫刻される前の両方を含む意味で用いる。
【００６３】
版本体１１は、円筒状に丸められ、重ね合わせられた両端部１１１，１１２が接合されることにより印刷用版１に成形される。
【００６４】
版本体１１の両端部１１１，１１２が接合されてなる接合部１３は、その幅寸法が短過ぎると接合の強度を保つことが困難になり、一方、幅寸法が長過ぎると材料コストが嵩むことから、少なくとも接合の強度が保たれる程度の幅寸法で重ねられて接合される。
【００６５】
尚、接合部１３の接合方法としては、溶接による接合が最も好ましいが、弾性材料製シートの両端部１１１，１１２が容易に剥がれない接着方法が採用されるのであれば特に限定されるものではない。
【００６６】
版本体１１は、円筒状に成形された印刷用版１におけるその他の部位（版胴２の版装着面２２と当接する部位）の曲率よりも低い曲率で形成された湾曲部１５を有している。
【００６７】
湾曲部１５は、接合部１３及びその近傍、具体的には、接合部１３の両側部分を含んでなる。
【００６８】
湾曲部１５とそれ以外の部位との境界部分には、境界部分を挟んだ両側の曲率が異なることにより僅かに屈曲が生じてなる屈曲部１５ａが形成されており、湾曲部１５は、接合部１３の両側部に設けられた屈曲部１５ａ間の領域と定義される。
【００６９】
湾曲部１５は、版胴２の外周の一部が取り除かれてなる平坦部の幅寸法と略同等の幅寸法に設定されることが好ましい。
【００７０】
このように構成されることにより、印刷用版１の屈曲部１５ａと版胴２の平坦部の端部を位置合わせしながら印刷用版１を版胴２に装着させることができる。
【００７１】
円筒状に成形された弾性材料製シートの両端部１１１，１１２を重ねて接合した接合部１３の両側部に、版胴２の外周の一部が取り除かれてなる平坦部の幅寸法と略同等の間隔で屈曲部１５ａが設けられ、印刷用版１及び版胴２は、弾性材料製シート（印刷用版１）の屈曲部１５ａと版胴２の平坦部によって位置決めされると、印刷用版１の接合部１３は弾性材料製シートの両端部が重なり合っているために曲がり難く、その他の部位（版胴２の版装着面２２に当接する部位）よりも低い曲率となることにより屈曲部１５ａが形成されるため、印刷用版１を版胴２の外周に装着させる際に、印刷用版１の屈曲部１５ａと版胴２の平坦部とを位置合わせして案内させ易くなり、印刷用版１の装着がより正確且つ容易になる。
【００７２】
版部１２は、湾曲部１５を除く版本体１１の外周面の所定箇所に設けられ、印刷用版１が版胴２に装着されたときに版装着面２２に密着する版本体１１の外面部分に形成されている。
【００７３】
弾性材料製シートは、磁性あるいは非磁性の適当な金属等の長方形状の弾性材料製シートからなり、例えば、市販のブリキ板（Ｆｅ）が採用され、シートの厚さは、円筒状に形成できて、かつ弾性力により円筒状を保持できる程度であればよく、この例では、約０．２６ｍｍである。
【００７４】
版本体１１には、版部１２となる樹脂層がその片面に形成されており、この樹脂層は、例えばポリビニルアルコール系、ビニルエステル系またはポリアミド系等の樹脂を採用することができ、ショアＤ硬度で例えば硬化後Ｄ２０〜８０程度のものが好適である。
【００７５】
例えば、通常のオフセット印刷用のＵＶ硬化樹脂（紫外線硬化樹脂）を採用すると、それ以外の硬化樹脂のような溶剤や高圧スチームによる煩雑な洗浄作業を必要とせず、一般に水洗浄で容易に洗浄作業を行うことができる。
【００７６】
樹脂層の厚さは、印刷の版部１２として必要な厚みがあればよく、この例では、弾性材料製シートの片面に厚さ０．４〜０．６ｍｍの層を接着させている。
【００７７】
円筒状に形成された印刷用版１は、版胴２の先端側から嵌め込まれることによって、版胴２の外周面である版装着面２２に装着される。
【００７８】
印刷用版１は、一方の長手方向端部、具体的には、版胴２の版装着面２２に装着された際の後端側となる端部に位置決め用切欠部１４が形成されている。
【００７９】
位置決め用切欠部１４は、版胴２の位置決め用段部２１と係合するようになっており、印刷用版１の軸方向に延びる切欠きが形成され、その奥端部に周方向位置決め用段部２１の外周形状と一致する曲率を有する円弧が形成されている。
【００８０】
位置決め用切欠部１４は、例えば、印刷用版１が版胴２の後端側まで装着されると、位置決め用切欠部１４の端部が位置決め用段部２１の外周面と当接することによって、印刷用版１の周方向及び版胴２の軸方向の位置決めができるようになっている。
【００８１】
位置決め用切欠部１４は、弾性材料製シートの両端部１１１，１１２を重ねて接合した接合部１３以外に設けられるので、先に形成された位置決め用切欠部１４が接合部１３の接合の邪魔になることがない。
【００８２】
更に、位置決め用切欠部１４は、接合部１３を含む屈曲部１５ａ間以外の部位に設けられる、即ち、位置決め用切欠部１４は、版胴２の版装着面２２に当接する部位に設けられると、位置決め用切欠部１４が版胴２の曲率と略等しく設定された部位に設けられることにより、印刷用版１を版胴２に装着させる際に、位置決め用切欠部１４と係合する版胴２の部位（例えば、位置決め用段部２１）に係合させやすい。
【００８３】
弾性材料製シートは、例えば、第１加工及び第２加工の２段階の加工を経て円筒状の印刷用版に成形される。
【００８４】
円筒状の印刷用版１を成形するために必要な寸法で切断した弾性材料製シートをロールプレス加工機にかけて、弾性材料製シートに第１加工を施す。
【００８５】
弾性材料製シートは、ロールプレス機に設けられた一対のロール間に挟まれて押圧されることにより丸みを帯びるように加工される。
【００８６】
第１加工では、弾性材料製シートを所定の加工度、例えば、円筒状に成形後の弾性材料製シートの径が、第１加工で成形した弾性材料製シートの径の約１．２倍以上約３倍以下となるまで塑性変形させる。
【００８７】
具体的に説明すると、接合後の印刷用版１の内径が１２５．４５ｍｍ〜１２５．５０ｍｍである場合、第１加工における弾性材料製シートの内径は、接合後の印刷用版１の内径が約１．２倍〜約３倍の範囲となるよう、半径約１５０ｍｍ〜３７０ｍｍとなるように加工を施す。
【００８８】
第１加工における所定の加工度は、好ましくは、印刷用版１の内径の約１．２倍〜約２．８倍の範囲（１５０ｍｍ〜３５０ｍｍ）、より好ましくは、印刷用版１の内径の約１．４倍〜約２．５倍の範囲（１８０ｍｍ〜３１０ｍｍ）に設定されるとよい。
【００８９】
第１加工では、円筒状に成形後の弾性材料製シートの径が、第１加工で成形した弾性材料製シートの径の約１．２倍以上約３倍以下となるまで弾性材料製シートを塑性変形させるので、第１加工において印刷用版１が好適な範囲内で加工されるため、その後に施される第２加工が行い易くなる。
【００９０】
また、第１加工における弾性材料製シートの両端部１１１，１１２は、それぞれ異なる加工度、即ち、それぞれ異なる曲率となるように曲げ加工される。
【００９１】
両端部１１１，１１２の加工度は、弾性材料製シートの端部１１１，１１２それぞれの内径の比率（内径大／内径小）が低過ぎる（１に近い）と、両端部１１１，１１２が自然に重なり合うようにならないため、後述する第２加工における押圧手段において作業者によって両端部１１１，１１２を重ね合わせなければならなくなるため好ましくない。
【００９２】
一方、加工度の比率が高過ぎると、一方の端部のみの加工度が高くなり過ぎてしまい、歪が生じる虞があるため好ましくない。
【００９３】
そこで両端部１１１，１１２の加工度の比率は、約１．１倍〜約２倍の範囲となるように設定され、好ましくは、約１．３倍〜約１．７倍の範囲となるように設定される。
【００９４】
第１加工は、弾性材料製シートの一端部１１１側と他端部１１２側とで加工度を異なる設定にするので、加工度の大きい（内径の小さい）端部が加工度の小さい（内径の大きい）端部の内側に入りこんで重なり合うような形状となるため、その後の接合工程が行い易くなる。
【００９５】
第１加工を施した後になされる第２加工では、弾性材料製シートを完全な円筒状にして、重ね合わせられた端部１１１，１１２同士を接合して接合部１３を形成することによって、円筒状の印刷用版１に成形する。
【００９６】
例えば、第１加工を施すことにより丸みを帯びた弾性材料製シートは、円筒状成形装置３によって円筒状の印刷用版１に成形される。
【００９７】
印刷用版１の内径は、第２加工によって、版装着面２２の外径と略同等の寸法となるように設定される。
【００９８】
以下では、図３〜５に基づいて、印刷用版１を円筒状に成形するための円筒状成形装置３について説明する。
【００９９】
円筒状成形装置３は、基台３ａと、長方形状の弾性材料製シートが巻き付けられるシリンダー部材３１と、シリンダー部材３１に巻き付けた弾性材料製シートを押え付けてシリンダー部材３１に固定する固定手段と、弾性材料製シートを円筒状に加工するためのローラー手段と、を備えている。
【０１００】
シリンダー部材３１は、円筒状に形成され、円筒状の外周の一部が取り除かれてなる平坦部３１１を有している。
【０１０１】
シリンダー部材３１の平坦部３１１の対向側には、弾性材料製シートに形成された位置決め用切欠部１４が係合する位置決め用突部３１２が形成されている。
【０１０２】
即ち、シリンダー部材３１の位置決め用突部３１２は、版胴２の位置決め用段部２１と同様の機能を果たすものである。
【０１０３】
弾性材料製シートは、位置決め用切欠部１４を位置決め用突部３１２に係合させてシリンダー部材３１と位置合わせされた後、シリンダー部材３１に巻き付けられることによって円筒状に成形される。
【０１０４】
シリンダー部材３１は、弾性材料製シートの位置決め用切欠部１４が係合する位置決め用突部３１２を有するので、シリンダー部材３１に弾性材料製シートを位置決めすることができ、加工作業中にも弾性材料製シートが周方向にずれるなどすることがないため、精度のよい加工により印刷用版１を成形することができる。
【０１０５】
固定手段は、弾性材料製シートを押え付けてシリンダー部材３１に固定する固定用部材３２を備えている。
【０１０６】
固定用部材３２は、シリンダー部材３１の下方の下部枠体３５４に設けられ、例えば、シリンダー部材３１の外周面に対して接離可能に上下動するよう構成されている。
【０１０７】
固定用部材３２の上面３２１は、シリンダー部材３１の外周面に当接するためシリンダー部材３１の外周面の曲率と同等に形成されており、シリンダー部材３１の外周に巻かれた弾性材料製シートを押え付ける際にも弾性材料製シートの変形などが生じることがない。
【０１０８】
固定用部材３２は、弾性材料製シートの位置決め用切欠部１４と位置決め用突部３１２を係合させた状態で、弾性材料製シートの位置決め用切欠部１４の近傍を押え付けてシリンダー部材３１の外周に固定する。
【０１０９】
ローラー手段は、基端側に可動部３４１と、先端側に伸縮自在の伸縮部３４２を設けた軸体３４と、伸縮部３４２の先端に取り付けられ、弾性材料製シートを円筒状に加工するためのローラー３３と、を備えている。
【０１１０】
軸体３４は、回動部材により回動動作する可動部３４１が基端側に設けられることによって、シリンダー部材３１の外周面に対して接離方向に可動可能に構成されている。
【０１１１】
ローラー３３は、シリンダー部材３１の軸方向長さと略同等の長さ寸法に設定され、シリンダー部材３１の軸方向左右両側にそれぞれ１つずつ設けられている。
【０１１２】
シリンダー部材３１の軸方向両側には、枠体３５が設けられており、各枠体３５は、シリンダー部材３１の前面側及び後面側に設けられた一対の側板３５１と、前面側及び後面側の側板３５１に横架する天板３５２と、を備えている。
【０１１３】
一対の側板３５１は、ローラー３３を間に挟み込むように配置されており、高さ方向に長い孔である長孔３５５がそれぞれ対称位置に形成されている。
【０１１４】
長孔３５５は、シリンダー部材３１の外周の曲率に合わせてやや湾曲した形状に形成されている。
【０１１５】
ローラー３３の端部は、固定手段の枠体３５の長孔３５５にそれぞれ遊嵌され、伸縮部３４２が伸縮することにより、シリンダー部材３１に取り付けられた弾性材料製シートの外周面に当接しながら長孔３５５の範囲内で移動するように構成されている。
【０１１６】
ローラー３３は、長孔３５５の範囲内で移動することにより、シリンダー部材３１に巻き付けた弾性材料製シートの下部から湾曲部１５となる部位にかけて、シリンダー部材３１の平坦部３１１を除く外周面の少なくとも一部に圧接して、弾性材料製シートを円筒状に加工を施す。
【０１１７】
弾性材料製シートをシリンダー部材３１に取り付ける際、及び成形した印刷用版１をシリンダー部材３１から取り外す際には、ローラー３３とシリンダー部材３１の外周面との間に隙間を形成するために、ローラー３３を長孔３５５の最下部位置まで移動させる。
【０１１８】
ローラー３３は、シリンダー部材３１の平坦部３１１を除く外周面に沿って移動して加工がなされるので、弾性材料製シートを円筒状に形成する際に、シリンダー部材３１の外周面に沿って移動するローラー３３がシリンダー部材３１の平坦部３１１を移動することがないため、弾性材料製シートを凹みなどのない高精度な円筒状に成形することができる。
【０１１９】
円筒状成形装置３は、更に、弾性材料製シートの両端部１１１，１１２を平坦部３１１の位置で重ね合わせた状態で押圧すると、押圧手段によって弾性材料製シートが押圧された状態で、弾性材料製シートの両端部１１１，１１２を接合する接合手段と、を備える。
【０１２０】
押圧手段は、弾性材料製シートの両端部１１１，１１２を重ね合わせた状態で、シリンダー部材３１の径方向外側から弾性材料製シートの湾曲部１５となる部位を押圧する押圧部材３６と、押圧部材３６が取り付けられた上部枠体３５３と、を有している。
【０１２１】
押圧部材３６は、例えば、断面Ｌ字状に形成されてなり、側面が上部枠体３５３に取り付けられ、下面が湾曲部１５となる部位を押圧する押圧面となる。
【０１２２】
押圧面には、例えば、楕円形の貫通孔３６１が複数整列した状態で形成されている。
【０１２３】
接合手段は、例えば、弾性材料製シートの両端部１１１，１１２を接合するための溶接棒を収容する溶接ガンなどを有する接合機３７を備えている。
【０１２４】
接合機３７は、弾性材料製シートの上方でシリンダー部材３１の軸方向に移動可能に構成され、弾性材料製シートの重ね合わせられた両端部１１１，１１２が押圧部材３６によって押圧されて仮止めされた状態で、押圧面の貫通孔３６１を介してスポット溶接などにより弾性材料製シートの両端部１１１，１１２を接合固定する。
【０１２５】
弾性材料製シートの湾曲部１５となる部位を押圧した状態で接合作業が行われるので、弾性材料製シートの端部１１１，１１２がずれるなどすることなく作業を行い易い。
【０１２６】
また、接合部１３は、弾性材料製シートの両端部１１１，１１２が重ね合わせられて接合されてなるので、弾性材料製シートの端面を突き合わせて溶接した場合と比較すると高い接合強度を有している。
【０１２７】
円筒状成形装置３は、シリンダー部材３１に巻き付けた弾性材料製シートの反発力による広がりを抑止するためのストッパー手段を備えるのであってもよい。
【０１２８】
例えば、シリンダー部材３１の軸方向両側に配置された枠体３５は、ストッパー手段としてのストッパー部材３８をそれぞれ備える。
【０１２９】
ストッパー部材３８は、例えば、シリンダー部材３１の軸方向に沿って伸びてなる板状部材であり、先端部がシリンダー部材３１側へ突出するようにそれぞれシリンダー部材３１の軸方向両側に配置されている。
【０１３０】
ストッパー部材３８は、例えば、シリンダー部材３１の外周面に対して水平方向に接離可能に枠体３５の天板３５２に取り付けられている。
【０１３１】
ストッパー部材３８の上面３８１は、シリンダー部材３１の平坦部３１１と平行になるように配置されている。
【０１３２】
ストッパー部材３８の下面には、シリンダー部材３１の外周面に当接するような角度で、シリンダー部材３１側の長手方向端部が下方に傾斜する傾斜面３８２が形成されている。
【０１３３】
傾斜面３８２は、シリンダー部材３１の外周に弾性材料製シートが取り付けられた状態で、シリンダー部材３１の外周に当接させることにより、弾性材料製シートをシリンダー部材３１の外周面方向に押え付けるようにしてシリンダー部材３１に固定する。
【０１３４】
シリンダー部材３１の両側部にストッパー部材３８が備えられることにより、シリンダー部材３１に巻き付けた未接合の弾性材料製シートの端部に働く反発力によって、端部が左右方向に広がろうとするのを防止することができる。
【０１３５】
弾性材料製シートをシリンダー部材３１に取り付ける際、及び成形した印刷用版１をシリンダー部材３１から取り外す際には、ストッパー部材３８をシリンダー部材３１から離間する方向へ移動させる。
【０１３６】
上述したように、円筒材成形工程は、所定の加工度となるまで弾性材料製シートを丸めて塑性変形させる第１加工と、弾性材料製シートを更に丸めて、弾性材料製シートの両端部１１１，１１２を重ね合わせて円筒状にする第２加工と、を有するので、第１加工によって、弾性材料製シートが丸みを帯びるように予め塑性変形がなされてから第２加工が施されることにより、弾性材料製シートが元に戻ろうとする反発力が低下する。
【０１３７】
これにより、弾性材料製シートの重ね合わせた両端部１１１，１１２は、例えば、溶接などの接合のみでよく、接着剤と溶接を併用して接合するなど強力な接合力が必要なくなり接合作業が簡素になる。
【０１３８】
第１加工及び第２加工によって弾性材料製シートを段階的に円筒状に成形することにより、精度よく印刷用版１を円筒状に成形することができる。
【０１３９】
以下では、円筒状成形装置３を用いて印刷用版１を円筒状に成形する方法について説明する。
【０１４０】
版部１２となる樹脂層が片面に形成された長方形状の弾性材料製シートの長手方向端部に、位置決め用切欠部１４を形成する。
【０１４１】
位置決め用切欠部１４は、治具などに載置されて位置決め固定された状態で、所定の弾性材料製シートの位置決め用切欠部１４の形成位置にポンチを押し当て、ハンマーで叩くなどすることによって形成される。
【０１４２】
この時、位置決め用切欠部１４は、弾性材料製シートを円筒状に成形した際に、湾曲部１５に対向する側に設けられるように形成する。
【０１４３】
このようにして位置決め用切欠部１４が形成された弾性材料製シートは、第１加工が施されてやや湾曲した形状に成形される。
【０１４４】
例えば、弾性材料製シートは、ロールプレス機に設けられた一対のロール間に挟まれて押圧されることにより丸みを帯びるように加工される。
【０１４５】
弾性材料製シートの湾曲部１５の一部となる各端部１１１，１１２は、それぞれ異なる加工度（異なる曲率）で加工が施される。
【０１４６】
例えば、弾性材料製シートの一端部１１１側が他端部１１２側よりも高加工度で加工されていると、高加工度で加工された一端部１１１が低加工度で加工された他端部１１２の下側に入り込んで重なり易くなる。
【０１４７】
第１加工がなされた状態で、弾性材料製シートは、やや丸みを帯びた略円筒状に塑性変形されている。
【０１４８】
続いて、第１加工がなされた弾性材料製シートに第２加工を施す。
【０１４９】
例えば、略円筒状に形成された弾性材料製シートを円筒状成形装置３のシリンダー部材３１の先端側から挿し込み、シリンダー部材３１の外周に取り付ける。
【０１５０】
弾性材料製シートは、位置決め用切欠部１４がシリンダー部材３１の位置決め用突部３１２に嵌め込まれることによってシリンダー部材３１に対して位置決めした状態で取り付けられる。
【０１５１】
弾性材料製シートが位置決めされると、シリンダー部材３１の下方に設けられた固定用部材３２を上昇させて弾性材料製シートに当接させ、シリンダー部材３１に押え付けて弾性材料製シートを固定する。
【０１５２】
固定用部材３２は、シリンダー部材３１の位置決め用突部３１２に嵌め込まれた位置決め用切欠部１４の近傍を押え付けるように設けられている。
【０１５３】
弾性材料製シートは、位置決め用切欠部１４が位置決め用突部３１２に係合されていることにより、周方向へずれることがなく、更に固定用部材３２よって弾性材料製シートが固定されていることにより、軸方向へもずれるなどすることがない。
【０１５４】
この時点では、弾性材料製シートの両端部１１１，１１２は、未接合の遊端となっている。
【０１５５】
弾性材料製シートは、シリンダー部材３１の下方側の左右両側で待機していたローラー３３が上昇し、シリンダー部材３１の外周に沿って移動することによって円筒状に成形される。
【０１５６】
例えば、ローラー３３は、シリンダー部材３１の外周に巻き付けられた弾性材料製シートに当接した状態で、シリンダー部材３１の下方側からストッパー部材３８が設けられた手前まで上昇移動して弾性材料製シートに第２加工を施す。
【０１５７】
ローラー３３がシリンダー部材３１の外周沿って徐々に移動することにより、弾性材料製シートの形状が円筒状に近づいていく。
【０１５８】
ローラー３３をストッパー部材３８の手前まで上昇させると、弾性材料製シートが元の形状に戻ろうとする反発力を抑えるため、円筒状成形装置３に設けられたストッパー部材３８をシリンダー部材３１に近接させて、シリンダー部材３１の外周面に押え付けるようにして弾性材料製シートの端部側近傍を固定する。
【０１５９】
この状態で、シリンダー部材３１の上部に位置していた押圧部材３６を下降させ、弾性材料製シートの重なり合った両端部１１１，１１２（弾性材料製シートの湾曲部１５となる部位）を押圧部材３６によって仮止め状態に押え付ける。
【０１６０】
押圧部材３６で弾性材料製シートの湾曲部１５となる部位が仮止めされた状態のままで、接合工程が行われる。
【０１６１】
接合機３７のガンは、弾性材料製シートの上方でシリンダー部材３１の軸方向に移動して、押圧部材３６の貫通孔３６１を介してスポット溶接を施すことにより弾性材料製シートの両端を接合する。
【０１６２】
押圧部材３６によって押さえ付けられる部位は、接合部１３を含む部位であり、シリンダー部材３１の平坦部３１１の幅寸法と略等しく設定され、押圧部材３６で押え付けられていない部位の曲率よりも低い曲率に設定された湾曲部１５である。
【０１６３】
湾曲部１５の両端には、湾曲部１５と連続する面との曲率が異なることによって屈曲が生じてなる屈曲部１５ａが形成されている。
【０１６４】
このようにして、円筒状に成形された印刷用版１が得られる。
【０１６５】
尚、上述した同様の工程を経ることにより本願発明の印刷用版１を得られるのであれば、上述したような円筒状成形装置３を用いることに限定されるものではない。
【０１６６】
上述した円筒状成形装置３は、位置決め用切欠部１４により弾性材料製シートをシリンダー部材３１に対して周方向に位置決めさせ、更に固定手段により弾性材料製シートを固定させることができるため、ローラー手段、押圧手段及び接合手段による加工作業中にも弾性材料製シートが周方向にずれるなどすることがなく、形状精度に優れ、容易に円筒形状に加工することができる。
【０１６７】
また、弾性材料製シートを円筒状に成形した後、円筒状成形装置３のシリンダー部材３１と同一形状の版胴２を用いて印刷模様を彫刻して、同一形状の版胴２を用いて印刷が行われるので、画像位置決め精度が高く、見当合わせが不要になり、印刷精度の向上した印刷用版１を成形することができる。
【０１６８】
上述では、第１加工及び第２加工の２段階の加工を経て弾性材料製シートを円筒状に成形するように説明したが、１度の加工のみで円筒状に成形可能であれば第１加工は必ずしも必要とされるものではない。
【０１６９】
また、ロールプレス加工機や円筒状成形装置３を用いて弾性材料製シートを円筒状に加工するように説明したが、上述したロールプレス加工機や円筒状成形装置３は一例であり、これ等以外の装置などを用いて弾性材料製シートを円筒状に加工するのであってもよい。
【０１７０】
以上説明したような印刷用版１の成形方法は、円筒状の版胴２の外周に装着される印刷用版１の成形方法であって、版部１２となる樹脂層が片面に形成された長方形状の弾性材料製シートに位置決め用切欠部１４を形成する切欠部加工工程と、位置決め用切欠部１４が形成された弾性材料製シートを丸め、弾性材料製シートの両端部１１１，１１２を重ね合わせて円筒状に接合する円筒材成形工程と、円筒状に成形された弾性材料製シートの版部１２に印刷用模様を彫刻する版部彫刻工程と、を備えるので、弾性材料製シートに予め位置決め用切欠部１４を形成しておくことにより、シリンダー部材３１などに巻き付けて印刷用版１を成形する際にも、弾性材料製シートをシリンダー部材３１などに対して周方向に位置決めさせることができるため、形状精度に優れ、容易に円筒形状の印刷用版１に加工することができ、印刷精度の向上した印刷用版１を得られる。
【０１７１】
また、円筒状に成形された印刷用版１に位置決め用切欠部１４を形成する場合よりも容易に位置決め用切欠部１４を形成することができる。
【０１７２】
以上説明した実施形態は、本発明の一例に過ぎず、本発明の作用効果を奏する範囲において具体的構成などを適宜変更設計できることは言うまでもない。
【産業上の利用可能性】
【０１７３】
本発明は、金属缶体を印刷するための印刷用版の成形に用いられる。
【符号の説明】
【０１７４】
１…印刷用版
２…版胴
１１…版本体
１２…版部
１３…接合部
１４…位置決め用切欠部
１５…湾曲部
１５ａ…屈曲部
３１…シリンダー部材
３２…固定部材
３３…ローラー
３６…押圧部材
３７…接合機
３１２…位置決め用突部
１１１，１１２…端部
【図１】
0006559411.tif 000002
【図２】
0006559411.tif 000003
【図３】
0006559411.tif 000004
【図４】
0006559411.tif 000005
【図５】
0006559411.tif 000006
【図６】
0006559411.tif 000007
【図７】
0006559411.tif 000008